(57)【特許請求の範囲】
【請求項１】
複数の物品を運搬するためのカートンであって、該カートンは、
該カートンの内部の回りに少なくとも部分的に延びる複数のパネルであって、該複数のパネルは少なくとも１つのボトムパネルと、該ボトムパネルに折り曲げ可能につながっている少なくとも１つのサイドパネルとを含む、複数のパネルと、
前記少なくとも１つのボトムパネルに折り曲げ可能につながっている少なくとも１つの保持用タブであって、該少なくとも１つの保持用タブは、前記複数の物品のうちの１つの物品の少なくとも一部分に係合するものであり、該少なくとも１つの保持用タブは、第１の折り線において前記ボトムパネルに近接して折り曲げ可能につながっている第１の部分と、第２の折り線において前記第１の部分に近接して折り曲げ可能につながっている第２の部分と、前記第１の部分と前記第２の部分との間にある第１の中間部分及び第２の中間部分とを含む、少なくとも１つの保持用タブと、
を備え、
前記第１の中間部分は、第３の折り線によって少なくとも部分的に画定され、前記第２の中間部分は、第４の折り線によって少なくとも部分的に画定され、前記第１の中間部分及び前記第２の中間部分は、前記複数の物品のそれぞれの物品に係合するように前記第２の部分に付勢力をもたらすように構成されている、カートン。
【請求項２】
前記第２の部分は、前記第１の部分に対して折り曲げられて、前記複数の物品のそれぞれの物品に係合する、請求項１に記載のカートン。
【請求項３】
前記第２の折り線は、前記少なくとも１つの保持用タブの少なくとも一部分にわたって延びる横方向折り線である、請求項１に記載のカートン。
【請求項４】
前記第３の折り線は、前記第１の中間部分を前記第１の部分及び前記第２の部分に折り曲げ可能につなげる折り線である、請求項１に記載のカートン。
【請求項５】
前記第３の折り線は、前記第１の中間部分を前記少なくとも１つの保持用タブの前記第１の部分につなげる第１の部分と、前記第１の中間部分を前記少なくとも１つの保持用タブの前記第２の部分につなげる第２の部分とを有する、請求項１に記載のカートン。
【請求項６】
前記第３の折り線は前記第２の折り線から延びる二又状の折り線である、請求項１に記載のカートン。
【請求項７】
前記第３の折り線は前記第２の折り線に近接する中央部分を有する弧状の折り線である、請求項１に記載のカートン。
【請求項８】
前記第４の折り線は前記第２の折り線から延びる二又状の折り線である、請求項５に記載のカートン。
【請求項９】
前記第１の中間部分及び前記第２の中間部分は概ね三角形状である、請求項１に記載のカートン。
【請求項１０】
前記第２の折り線は、前記第３の折り線から前記少なくとも１つの保持用タブの縁に実質的に近接するように延びる横方向折り線である、請求項１に記載のカートン。
【請求項１１】
前記第１の部分は前記少なくとも１つのボトムパネルに概ね隣接する近位部分であり、前記第２の部分は前記少なくとも１つの保持用タブの自由縁を含む遠位部分である、請求項１に記載のカートン。
【請求項１２】
前記少なくとも１つのサイドパネルは第１のサイドパネルと第２のサイドパネルとを含み、前記少なくとも１つのボトムパネルは、前記第１のサイドパネルに折り曲げ可能につながっている第１のボトムパネルと、前記第２のサイドパネルに折り曲げ可能につながっている第２のボトムパネルとを含み、前記複数のパネルは、前記第１のサイドパネルと前記第２のサイドパネルとに折り曲げ可能につながっているトップパネルを含む、請求項１に記載のカートン。
【請求項１３】
請求項１２に記載のカートンであって、該カートンは開放端を有するように構成されている、請求項１２に記載のカートン。
【請求項１４】
少なくとも前記トップパネルに折り曲げ可能につながっている少なくとも１つの頂部リテーナーであって、該少なくとも１つの頂部リテーナーは、前記複数の物品のうちの１つの物品の外周の一部分に係合するものである、少なくとも１つの頂部リテーナーを更に備える、請求項１３に記載のカートン。
【請求項１５】
前記少なくとも１つの頂部リテーナーは、第１の斜め折り線において前記トップパネルに折り曲げ可能につながっている側部保持パネルと、第２の斜め折り線において前記第１のサイドパネル及び前記第２のサイドパネルのうちの一方に折り曲げ可能につながっているタックインパネルとを含む、請求項１４に記載のカートン。
【請求項１６】
カートンを形成するためのブランクであって、該ブランクは、
少なくとも１つのボトムパネルと、該ボトムパネルに折り曲げ可能につながっている少なくとも１つのサイドパネルとを含む複数のパネルと、
前記少なくとも１つのボトムパネルに折り曲げ可能につながっている少なくとも１つの保持用タブであって、該少なくとも１つの保持用タブは物品の少なくとも一部分に係合するものであり、該少なくとも１つの保持用タブは、第１の折り線において前記ボトムパネルに近接して折り曲げ可能につながっている第１の部分と、第２の折り線において前記第１の部分に近接して折り曲げ可能につながっている第２の部分と、前記第１の部分と前記第２の部分との間にある第１の中間部分及び第２の中間部分とを含む、少なくとも１つの保持用タブと、
を備え、
前記第１の中間部分は、第３の折り線によって少なくとも部分的に画定され、前記第２の中間部分は、第４の折り線によって少なくとも部分的に画定され、前記第１の中間部分及び前記第２の中間部分は、前記ブランクから形成される前記カートンにおいて、複数の物品のそれぞれの物品に係合するように前記第２の部分に付勢力をもたらすように構成されている、ブランク。
【請求項１７】
前記第２の折り線は、前記少なくとも１つの保持用タブの少なくとも一部分にわたって延びる横方向折り線である、請求項１６に記載のブランク。
【請求項１８】
前記第３の折り線は、前記第１の中間部分を前記第１の部分及び前記第２の部分に折り曲げ可能につなげる折り線である、請求項１６に記載のブランク。
【請求項１９】
前記第３の折り線は、前記第１の中間部分を前記少なくとも１つの保持用タブの前記第１の部分につなげる第１の部分と、前記第１の中間部分を前記少なくとも１つの保持用タブの前記第２の部分につなげる第２の部分とを有する、請求項１６に記載のブランク。
【請求項２０】
前記第３の折り線は前記第２の折り線から延びる二又状の折り線である、請求項１６に記載のブランク。
【請求項２１】
前記第３の折り線は前記第２の折り線に近接する中央部分を有する弧状の折り線である、請求項１６に記載のブランク。
【請求項２２】
前記第４の折り線は前記第２の折り線から延びる二又状の折り線である、請求項１６に記載のブランク。
【請求項２３】
前記第１の中間部分及び前記第２の中間部分は概ね三角形状である、請求項１６に記載のブランク。
【請求項２４】
前記第２の折り線は、前記第３の折り線から前記少なくとも１つの保持用タブの縁に実質的に近接するように延びる横方向折り線である、請求項１６に記載のブランク。
【請求項２５】
前記第１の部分は前記少なくとも１つのボトムパネルに概ね隣接する近位部分であり、前記第２の部分は前記少なくとも１つの保持用タブの自由縁を含む遠位部分である、請求項１６に記載のブランク。
【請求項２６】
前記少なくとも１つのサイドパネルは第１のサイドパネルと第２のサイドパネルとを含み、前記少なくとも１つのボトムパネルは、前記第１のサイドパネルに折り曲げ可能につながっている第１のボトムパネルと、前記第２のサイドパネルに折り曲げ可能につながっている第２のボトムパネルとを含み、前記複数のパネルは、前記第１のサイドパネルと前記第２のサイドパネルとに折り曲げ可能につながっているトップパネルを含む、請求項１６に記載のブランク。
【請求項２７】
少なくとも前記トップパネルに折り曲げ可能につながっている少なくとも１つの頂部リテーナーであって、該少なくとも１つの頂部リテーナーは、物品の外周の一部分に係合するものである、頂部リテーナーを更に備える、請求項２６に記載のブランク。
【請求項２８】
前記少なくとも１つの頂部リテーナーは、第１の斜め折り線において前記トップパネルに折り曲げ可能につながっている側部保持パネルと、第２の斜め折り線において前記第１のサイドパネル及び前記第２のサイドパネルのうちの一方に折り曲げ可能につながっているタックインパネルとを含む、請求項２７に記載のブランク。
【請求項２９】
複数の物品を運搬するためのカートンを形成する方法であって、該方法は、
少なくとも１つのボトムパネルを含む複数のパネルを備えるブランクを得ることであって、少なくとも１つのサイドパネルが前記ボトムパネルに折り曲げ可能につながっており、少なくとも１つの保持用タブが前記少なくとも１つのボトムパネルに折り曲げ可能につながっており、前記少なくとも１つの保持用タブは、第１の折り線において前記ボトムパネルに近接して折り曲げ可能につながっている第１の部分と、第２の折り線において前記第１の部分に近接して折り曲げ可能につながっている第２の部分と、前記第１の部分と前記第２の部分との間にある第１の中間部分及び第２の中間部分とを含み、前記第１の中間部分は、第３の折り線によって少なくとも部分的に画定され、前記第２の中間部分は、第４の折り線によって少なくとも部分的に画定されることと、
前記少なくとも１つのサイドパネルを前記少なくとも１つのボトムパネルに対して折り曲げることによって前記カートンの内部の少なくとも一部分を形成することと、
前記複数の物品のうちの１つの物品の少なくとも一部分に係合するように前記保持用タブを位置決めすることであって、該位置決めすることは、前記複数の物品のそれぞれの物品に係合するように前記第１の部分に対して前記第２の部分を折り曲げることと、前記第３の折り線に沿って前記第１の中間部分を折り曲げることと、前記第４の折り線に沿って前記第２の中間部分を折り曲げることと、を含み、前記第１の中間部分及び前記第２の中間部分は、前記複数の物品のそれぞれの物品に係合するように前記第２の部分に付勢力をもたらすように構成されていることと、
を含む、方法。
【請求項３０】
前記第３の折り線は、前記第１の中間部分を前記少なくとも１つの保持用タブの前記第１の部分につなげる第１の部分と、前記第１の中間部分を前記少なくとも１つの保持用タブの前記第２の部分につなげる第２の部分とを有し、
前記保持用タブを位置決めすることは、前記第１の中間部分を前記第３の折り線の前記第１の部分に沿ってかつ前記第３の折り線の前記第２の部分に沿って折り曲げることを含む、請求項２９に記載の方法。
【請求項３１】
前記少なくとも１つのサイドパネルは第１のサイドパネルと第２のサイドパネルとを含み、前記少なくとも１つのボトムパネルは前記第１のサイドパネルに折り曲げ可能につながっている第１のボトムパネルと、前記第２のサイドパネルに折り曲げ可能につながっている第２のボトムパネルとを含み、前記複数のパネルは、前記第１のサイドパネルと前記第２のサイドパネルとに折り曲げ可能につながっているトップパネルを含み、
前記カートンの前記内部の少なくとも前記一部分を形成することは、前記第２のサイドパネルを前記第２のボトムパネルに対して折り曲げることと、前記トップパネルを前記第１のサイドパネル及び前記第２のサイドパネルに対して折り曲げることとを含む、請求項２９に記載の方法。
【請求項３２】
前記カートンは開放端を有するように構成されている、請求項３１に記載の方法。
【請求項３３】
請求項３１に記載の方法であって、
前記ブランクは、少なくとも前記トップパネルに折り曲げ可能につながっている少なくとも１つの頂部リテーナーを更に備え、
該方法は、前記複数の物品のうちの１つの物品の外周の一部分に係合するように前記頂部リテーナーを位置決めすることを更に含む、請求項３１に記載の方法。
【発明の詳細な説明】
【技術分野】
【０００１】
本開示は、包括的には、飲料用容器又は他のタイプの物品を保持して分配するためのキャリアに関する。
【０００２】
［関連出願の相互参照］
本願は、２０１１年５月１２日付けで出願された米国仮特許出願第６１／５１８，８３７号の利益を主張する。
【０００３】
［参照による援用］
２０１１年５月１２日付けで出願された米国仮特許出願第６１／５１８，８３７号は、その全体が本明細書に提示されているかのように全ての目的で引用することにより本明細書の一部をなす。
【発明の概要】
【０００４】
概して、本開示の１つの態様は、複数の物品を運搬するためのカートンに関する。本カートンは、本カートンの内部の回りに少なくとも部分的に延びる複数のパネルであって、複数のパネルは少なくとも１つのボトムパネルと、ボトムパネルに折り曲げ可能につながっている少なくとも１つのサイドパネルとを含む、複数のパネルを備える。本カートンは、少なくとも１つのボトムパネルに折り曲げ可能につながっている少なくとも１つの保持用タブを更に備える。少なくとも１つの保持用タブは、複数の物品のうちの１つの物品の少なくとも一部分に係合するものであり、少なくとも１つの保持用タブは、第１の折り線においてボトムパネルに折り曲げ可能につながっている第１の部分と、第２の折り線において第１の部分に折り曲げ可能につながっている第２の部分とを含む。
【０００５】
別の態様において、本開示は概して、複数の物品を保持するためのカートンを形成するためのブランクに関する。本ブランクは、少なくとも１つのボトムパネルとボトムパネルに折り曲げ可能につながっている少なくとも１つのサイドパネルとを含む複数のパネルと、少なくとも１つのボトムパネルに折り曲げ可能につながっている少なくとも１つの保持用タブとを備える。少なくとも１つの保持用タブは物品の少なくとも一部分に係合するものであり、少なくとも１つの保持用タブは、第１の折り線においてボトムパネルに折り曲げ可能につながっている第１の部分と、第２の折り線において第１の部分に折り曲げ可能につながっている第２の部分とを含む。
【０００６】
別の態様において、本開示は、ブランクから複数の物品を運搬するためのカートンを形成する方法に関する。本方法は、少なくとも１つのボトムパネルを含む複数のパネルを備えるブランクを得ることであって、少なくとも１つのサイドパネルがボトムパネルに折り曲げ可能につながっており、少なくとも１つの保持用タブが少なくとも１つのボトムパネルに折り曲げ可能につながっていることを含む。少なくとも１つの保持用タブは、第１の折り線においてボトムパネルに折り曲げ可能につながっている第１の部分と、第２の折り線において第１の部分に折り曲げ可能につながっている第２の部分とを含む。本方法は、少なくとも１つのサイドパネルを少なくとも１つのボトムパネルに対して折り曲げることによってカートンの内部の少なくとも一部を形成することと、複数の物品のうちの１つの物品の少なくとも一部分に係合するように保持用タブを位置決めすることとを更に含む。
【０００７】
本開示の他の態様、特徴及び詳細は、図面と組み合わせた例示的な実施形態の以下の詳細な説明の参照及び添付の特許請求の範囲から、より完全に理解することができる。
【０００８】
当業者は、添付図面を参照して実施形態の以下の詳細な説明を読むことによって、上記の利点、並びに多様な追加の実施形態の他の利点及び利益を理解するであろう。さらに、以下で説明する図面の多様な特徴は、必ずしも一定の縮尺比で描かれているとは限らない。図面における多様な特徴及び要素の寸法は、本開示の実施形態をより明確に示すために拡大又は縮小されている場合がある。
【図面の簡単な説明】
【０００９】
【図１】第１の実施形態によるキャリアを形成するのに用いられるブランクの外面の平面図である。
【図２Ａ】図１のブランクの保持機能部の平面図である。
【図２Ｂ】図１のブランクの保持機能部の平面図である。
【図３】図１のブランクから組み立てられたキャリアの図２Ａ及び図２Ｂの保持機能部の斜視図である。
【図４】図１のブランクから組み立てられたキャリアの内部の斜視図である。
【図５】組み立てられたキャリア及び容器の斜視図である。
【図６】組み立てられたキャリアの保持機能部と容器との相互作用を示す斜視図である。
【図７】第２の実施形態によるキャリアを形成するのに用いられるブランクの外面の平面図である。
【図８Ａ】図７のブランクの保持機能部の平面図である。
【図８Ｂ】図７のブランクの保持機能部の平面図である。
【発明を実施するための形態】
【００１０】
対応する部分は、図面を通して対応する参照符号によって示されている。
【００１１】
本開示は概して、容器、ボトル、缶等のような物品を収容するカートン又はキャリアの種々の機能部に関する。物品は、例えば、食品及び飲料製品を包装するのに用いることができる。物品は、特定の食料品又は飲料品を包装するのに適した組成の材料から作ることができ、その材料は、アルミニウム及び／又は他の金属、ガラス、ＰＥＴ、ＬＤＰＥ、ＬＬＤＰＥ、ＨＤＰＥ、ＰＰ、ＰＳ、ＰＶＣ、ＥＶＯＨ、及びナイロン等のようなプラスチック、又はそれらの任意の組み合わせを含むが、これらに限定はされない。
【００１２】
本開示によるカートンすなわちキャリアは、任意の形状の物品を収容することができる。本開示の範囲を限定することを目的とせず、説明することを目的として、以下の詳細な説明では、キャリアの実施形態の中に配置される飲料用容器（例えば飲料用アルミニウム缶）について説明する。本明細書において、「下側」、「ボトム」、「上側」、及び「トップ」という用語は、完全に組み立てられて直立したカートンに関して決定される向きを示す。
【００１３】
さらに、本開示の範囲を限定することを目的とせず、説明することを目的として、以下の詳細な説明は、折り線、引き裂き線、折り目線、スコア線、切れ目線、カット折り目線及び他の同様の機能部を含むいくつかの種類の機能部を記載している。記載される実施形態に関して別途述べられるか又は明確に示されない限り、これらの機能部は、記載される実施形態の任意の所望の実施に従って容易に交換可能である。
【００１４】
ここで図面を参照すると、図１は本開示の第１の実施形態によるキャリア５（図５）を形成するのに用いられるブランク３の外面２の平面図である。キャリア５は、容器Ｃ（図５）等の複数の物品を収容するのに用いることができる。図示の実施形態では、容器Ｃは飲料用缶であり、キャリア５は２×３構成の単一層で６本の容器を収容するようにサイズ決めされている。しかしながら、キャリア５は、２つ以上の層、及び／又は様々な横列／縦列の構成で（例えば、１×６、２×６、２×４、２×２、２×６×２、２×４×２、２×９等）、異なる数量若しくは同じ数量の容器Ｃを保持するようなサイズ及び形状にすることができることが理解される。図示の実施形態では、キャリア５は、容器Ｃの底部Ｂに係合する底部保持機能部１１を備えることができる。加えてキャリア５は、キャリア５が把持及び運搬されるように、全体的に７で示されるハンドルを備えることができる。キャリア５は、キャリア内の容器Ｃがアクセスされるようにディスペンサー９も備えることができる。
【００１５】
図示の実施形態では、キャリア５は、容器Ｃの回りを包囲する、概ね開放した端６、８（図５）を有するキャリアである（例えばキャリア５はラップアラウンドカートンと呼ぶことができる）。キャリア５は、端６、８が端部フラップ（図示せず）又は他の閉鎖機構等によって少なくとも部分的に閉鎖されるように他の形状及び配置にすることができる。
【００１６】
ブランク３は、縦軸Ｌ１及び横軸Ｌ２を有する。図示の実施形態では、ブランク３は、第１の横方向折り線２４において第１のサイドパネル２２に折り曲げ可能につながっているトップパネル２０と、第２の横方向折り線２８において第１のサイドパネル２２に折り曲げ可能につながっている第１のボトムパネル２６と、第３の横方向折り線３２においてトップパネル２０に折り曲げ可能につながっている第２のサイドパネル３０と、第４の横方向折り線３６において第２のサイドパネル３０に折り曲げ可能につながっている第２のボトムパネル３４とを備える。図示の実施形態では、第１のボトムパネル２６は、横方向折り線２８及び４０によって画定される第１のボトムベベルパネル３８を含む。第２のボトムパネル３４は、横方向折り線３６及び４４によって画定される第２のボトムベベルパネル４２を含む。加えて、第１のサイドパネル２２は、横方向折り線２４及び４８によって画定される第１のトップベベルパネル４６を含むことができ、第２のサイドパネル３０は、横方向折り線３２及び５２によって画定される第２のトップベベルパネル５０を含むことができる。
【００１７】
組み立てられたキャリア５では内側ボトムパネルフラップである第１のボトムパネル２６は、第２のボトムパネル３４の主雄係止用タブ突出部５４に係合するような形状になっているとともにその突出部に係合するように位置決めされている、主雌係止縁５２を形成するカットアウトを含む。第１のボトムパネル２６はまた、第２のボトムパネル３４の外側の副係止用タブ突出部５８を収めるような形状にされているとともにその突出部を収めるように位置決めされているスリット５６を含む。完成したキャリア５では外側ボトムパネルである第２のボトムパネル３４は、主雄係止用タブ突出部５４を画定するスリットによって断続した横方向折り線６０を含む。加えて、副係止用タブ突出部５８のそれぞれは、横方向折り線６２を含むことができる。ブランク３の係止要素が、キャリア５（図４及び図６）との使用に適した特定のボトムパネル係止構成を明示するように示されているが、任意の代替的な形態のボトムパネル係止構造を本開示から逸脱することなく用いることができることが理解される。さらに、ボトムパネル２６、３４は、係止構造を有することなく（例えば糊又は他の接着剤によって）連結することができるか、又はブランク３は、本開示から逸脱することなく単一のボトムパネルのみを備えることができる。
【００１８】
図１、図２Ａ及び図２Ｂに示されているように、底部保持機能部１１は、それぞれの横方向折り線６６に沿って第１のボトムパネル２６に折り曲げ可能にそれぞれつながっている第１の保持用タブ６４を含むことができる。さらに、底部保持機能部１１は、それぞれの横方向折り線７０に沿って第２のボトムパネル３４に折り曲げ可能にそれぞれつながっている第２の保持用タブ６８を含むことができる。第１の保持用タブ６４及び第２の保持用タブ６８のそれぞれは、概ね半円状、弧状、Ｕ字状等とすることができるそれぞれの切れ目線７２によって更に画定することができる。図２Ａ及び図２Ｂに示されているように、第１の保持用タブ６４及び第２の保持用タブ６８のそれぞれは、２本の折り線７６間に延びる横方向折り線７４を含む。いくつかの例示的な実施形態によれば、折り線７６は、横方向折り線７４から延びる二又状の折り線である。他の例示的な実施形態によれば、折り線７６は、横方向折り線７４に近接する中央部分を有する弧状の折り線である。したがって、図示の折り線７６の特定の形状は、本開示から逸脱することなく任意の同様の形状を有するように変更することができる。
【００１９】
１つの実施形態において、中間部分７８が、折り線７６のそれぞれと、それぞれの切れ目線７２の隣接部分とによって画定される。各中間部分７８は折り線７６の任意の所望の形状に応じて、概ね三角形状、放射線状、又は半円状とすることができる。第１の保持用タブ６４及び第２の保持用タブ６８のそれぞれはまた、横方向折り線７４及び折り線７６に沿って近位部分８２に折り曲げ可能につながっている遠位部分８０を含むことができる。図示の実施形態では、第１の保持用タブ６４及び第２の保持用タブ６８のそれぞれは、それぞれの容器Ｃの底部Ｂにおけるドーム特徴部ＤのリムＲの少なくとも一部分に係合するように位置決めされる（図６）。代替的には、第１の保持用タブ６４及び第２の保持用タブ６８は、本開示から逸脱することなく省略するか、又は別様に形状付け、構成、位置決め、及び／又は設計することができる。
【００２０】
図１に示されているように、ハンドル７は、それぞれがスリットによってそれぞれ形成されるとともにそれぞれの縦方向折り線８６においてトップパネル２０に折り曲げ可能にくっついている２つのフィンガーフラップ８４を含む。ハンドル７は、キャリア５を運搬するように他の機能部を含むことができ、フィンガーフラップ８４は、別様に位置決め、形状付け、及び／又は構成することができるか、又はハンドル７は本開示から逸脱することなくキャリアから省略することができる。
【００２１】
図示の実施形態では、ディスペンサー９は、トップパネル２０において延びる２つの引き裂き線９０によって形成されるディスペンサーパネル８８を含む。ディスペンサー９は、キャリア５を開く他の機能部を含むことができ、ディスペンサーパネル８８は、別様に位置決め、形状付け、及び／又は構成することができるか、又はディスペンサー９は、本開示から逸脱することなくキャリアから省略することができる。
【００２２】
図示の実施形態では、トップパネル２０は、各コーナーに配置される頂部リテーナー９２の形態の頂部保持機能部を有する概ね矩形である。頂部リテーナー９２はそれぞれ、第１の斜め折り線９５においてトップパネル２０に折り曲げ可能につながっている側部保持パネル９４と、第２の斜め折り線９７においてサイドパネル２２、３０のうちの一方に折り曲げ可能につながっているタックインパネル９６とを含む。それぞれのタックインパネル９６は、第３の斜め折り線９８においてそれぞれの側部保持パネル９４に折り曲げ可能につながっている。図１に示されているように、それぞれのタックインパネル９６と側部保持パネル９４とは、第３の斜め折り線９８からブランク３の自由縁まで延びるフック状の切れ目９９によって分離されている。代替的には、頂部リテーナー９２は、本開示から逸脱することなく省略するか、又は別様に形状付け、構成、位置決め、及び／又は設計することができる。
【００２３】
図４〜図６に示されているように、キャリア５は、容器Ｃの回りをブランク３で包囲して、底部保持機能部１１が容器Ｃのドーム特徴部Ｄに係合するように機能化させた状態で第１のボトムパネル２６と第２のボトムパネル３４とを連結させることによって組み立てることができる。図４は、機能化された底部保持機能部１１をより明確に示すように容器Ｃを省略して、組み立てられたキャリア５を示している。第１の保持用タブ６４及び第２の保持用タブ６８は、ブランク３の外面２から第１の保持用タブ６４及び第２の保持用タブ６８のそれぞれを押して、第１の保持用タブ６４及び第２の保持用タブ６８を、それぞれの折り線６６、７０（図３）に沿って内方に折り曲げることによって機能化することができる。図３〜図６に示されているように、機能化された保持用タブ６４、６８は、容器Ｃの底部Ｂの部分を収める開口１０４を形成する。第１の保持用タブ６４及び第２の保持用タブ６８のそれぞれは、横方向折り線７４及び折り線７６に沿って更に折り曲げることができ、それによって、近位部分８２はそれぞれの折り線６６、７０からキャリア５の内部１００に向かって概ね延び、遠位部分８０は内部１００（図４）から離れるように概ね延びる。更に示すように、中間部分７８は、近位部分８２と遠位部分８０との間で付勢力をもたらすように構成され、そのため遠位部分８０はそれぞれの容器Ｃに容易に係合する（図６）。
【００２４】
図示の実施形態では、容器Ｃはブランク３のトップパネル２０の内面１０２に逆さに配置されている。この場合サイドパネル２２、３０は、横方向折り線２４、３２、４８、５２に沿って容器Ｃに向かって上方に折り曲げられる。サイドパネル２２、３０が上方に折り曲げられると、タックインパネル９６は、折り線９７を中心に内方にそれぞれ折り畳まれる。それに応じて、側部保持パネル９４は、図４及び図５に示されている位置に内方に引き寄せられる。側部保持パネル９４は、キャリア５（図５）の端６、８において容器Ｃの部分の回りを部分的に包囲し、キャリア５の４つの頂部コーナーにおいて頂部リテーナー９２をそれぞれ形成する。タックインパネル９６及び側部保持パネル９４は、容器Ｃと、サイドパネル２２、３０の内面１０２との間でそれぞれサンドイッチ（例えば保持、挟持等）されるタックインパネル９６によって適所に保持される。そのため、各頂部リテーナー９２はそれぞれの容器Ｃの外周の一部分に係合するように構成されている。
【００２５】
図４に示されているように、第１のボトムパネル２６及び第２のボトムパネル３４は、それぞれの折り線２８、４０及び３６、４４に沿って折り曲げられ、第２のボトムパネル３４は、第１に、主雄係止用タブ５４を主雌係止縁５２とそれぞれ係合させることによって第１のボトムパネル２６に固定される。副雄係止用フラップ５８は、それぞれスリット５６に挿通され、またスリット５６と協働するように相互作用して、第２のボトムパネル３４を第１のボトムパネル２６に更に固定する。連結されたボトムパネル２６、３４は協働してキャリア５のボトムパネル１０６を形成する。第１のボトムパネル２６及び第２のボトムパネル３４が、容器Ｃの底部Ｂを覆うように折り曲げられると、機能化された保持用タブ６４、６８はそれぞれのドーム特徴部Ｄ（図６）に挿入され、底部Ｂの部分は開口１０４に納まる。
【００２６】
図示の実施形態では、折り曲げられた保持用タブ６４、６８は、それぞれの遠位部分８０、近位部分８２、及び中間部分７８の縁に沿って複数の接触点を設けることによって容器Ｃの抜落ちに抗することができる。この接触点は、それぞれの容器Ｃのドーム特徴部ＤのリムＲに係合することができる。例えば、図６に示されているように、容器Ｃがキャリア５の端８に向かって外方に付勢される場合、それぞれの第１の保持用タブ６８はキャリア５の内部１００においてリムＲの内側に接触し、外方への力に抗する。頂部リテーナー９２は、端６、８（図５）においてキャリア５の頂部コーナーにおける容器Ｃの抜落ちに抗し、保持用タブ６４、６８は、端６、８において容器Ｃの枢動に抗するのを助けるように頂部リテーナー９２と協働する。それに応じて、保持用タブ６４、６８及び頂部リテーナー９２はキャリア５から容器Ｃの不所望の抜落ちを防止するのを助ける。ユーザーは、ディスペンサー９を開けること又はキャリア５を引き裂くこと等によってキャリア５にアクセスすることができる。
【００２７】
図７は、本開示の第２の実施形態によるキャリア（図示せず）を形成するブランク２０３の外面２０２の平面図である。第２の実施形態は、述べられる変形及び当業者には明らかである変形を除いて、第１の実施形態と概ね同様である。それに応じて、実施形態の同様又は同一の特徴部には、類似又は同様の参照符号が付されている。図７に示されているようにブランク２０３は、それぞれの横方向折り線２６６、２７０に沿ってボトムパネル２６、３４に折り曲げ可能につながっている中央保持用タブ２６４ａ、２６８ａ及び外側保持用タブ２６４ｂ、２６８ｂを含む、代替的な底部保持機能部２１１を備える。中央保持用タブ２６４ａ、２６８ａは、第１の実施形態の保持用タブ６４、６８と同様であり、横方向折り線２７４は２つの折り線２７６間に延び、２つの折り線２７６は、任意の所望の実施態様に従って弧状、曲線状、及び／又は二又状とすることができる。外側保持用タブ２６４ｂ、２６８ｂのそれぞれは、保持用タブの外部に面する自由縁から、保持用タブの内部に面する自由縁まで延びる折り線２７６まで延びる横方向折り線２７４を有する。保持用タブ２６４ａ、２６４ｂ、２６８ａ、２６８ｂのそれぞれは、それぞれの切れ目線２７２によって更に画定することができ、切れ目線２７２は概ね半円状、弧状、Ｕ字状等とすることができる。
【００２８】
図８Ａ及び図８Ｂに示されているように、中間部分２７８は、折り線２７６のそれぞれ及びそれぞれの切れ目線２７２の隣接部分によって画定される。それぞれの中間部分２７８は、折り線２７６の任意の所望の形状に応じて概ね三角形状、放射線状、又は半円状とすることができる。保持用タブ２６４ａ、２６４ｂ、２６８ａ、２６８ｂのそれぞれは、横方向折り線２７４及び折り線２７６に沿って近位部分２８２に折り曲げ可能につながっている遠位部分２８０も含むことができる。図示の実施形態では、保持用タブ２６４ａ、２６４ｂ、２６８ａ、２６８ｂのそれぞれは、中間部分２７８によってもたらされる付勢力によってそれぞれの容器Ｃの底部Ｂにおけるドーム特徴部ＤのリムＲの少なくとも一部分に係合するように位置決めされる。代替的には、保持用タブ２６４ａ、２６４ｂ、２６８ａ、２６８ｂは、本開示から逸脱することなく省略するか、又は別様に形状付け、構成、位置決め、及び／又は設計することができる。同様に、ブランク２０３は、本開示から逸脱することなく別様に形状付け、構成、及び／又は設計することができる。
【００２９】
概して、本開示によるブランクは、通常の紙よりも重く硬質であるような厚さを有する厚紙で作成してもよい。ブランクは、ボール紙等の他の材料、又はカートンが少なくとも概して上述したように機能することができるようにするのに適した特性を有する任意の他の材料で作成することもできる。ブランクは、例えばクレーコーティングでコーティングすることができる。続いて、クレーコートティング上に製品、広告及び他の情報又は画像を印刷してもよい。続いて、ブランクに印刷されている情報を保護するように、ブランクをワニスでコーティングすることができる。ブランクは、ブランクの片面又は両面を、例えば防湿層でコーティングすることもできる。ブランクは、選択されたパネル又はパネルセクションに１つ又は複数のシート状材料を積層又はコーティングすることもできる。
【００３０】
例示的な実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の弱化線に沿って材料に圧潰部分すなわち凹部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの機能部の種々の組み合わせを含む。折り線を形成するのに切れ目付けが用いられる状況において、切れ目付けは通常、分別のあるユーザーが折り線を誤って引き裂き線とみなす可能性があるように過度には深くない。
【００３１】
上記実施形態は、カートンの実施形態を組み立てる間に糊によって互いに接着される１つ又は複数のパネルを有するものとして説明することができる。「糊」という用語は、カートンパネルを適所に固定するのに一般的に用いられる全ての態様の接着剤を包含することが意図される。
【００３２】
本開示の前述の説明は、種々の例示的な実施形態を例示及び説明するものである。本開示の趣旨及び範囲から逸脱することなく、種々の追加、変更、変形等を例示的な実施形態に対して行うことができる。上記説明に含まれるか又は添付図面に示されている全ての事項が、限定的な意味ではなく例示として解釈されることが意図される。加えて、本開示は、本開示の選択された実施形態のみを図示及び説明しているが、本開示は、種々の他の組み合わせ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。さらに、各実施形態の或る特定の機能部及び特徴を、選択的に入れ替えて、本開示の他の説明された実施形態及び説明されていない実施形態に適用することができる。
【図１】
0005820057.tif 000002
【図２Ａ】
0005820057.tif 000003
【図２Ｂ】
0005820057.tif 000004
【図３】
0005820057.tif 000005
【図４】
0005820057.tif 000006
【図５】
0005820057.tif 000007
【図６】
0005820057.tif 000008
【図７】
0005820057.tif 000009
【図８Ａ】
0005820057.tif 000010
【図８Ｂ】
0005820057.tif 000011